(57)【要約】【課題】空調装置を備える閉鎖空間内で、植物を配設し、植物育成貯蔵用光源を有する植物育成貯蔵装置において、殺虫剤等の薬剤を散布すること無く、害虫を駆除することのできる植物育成貯蔵装置を提供する。【解決手段】閉鎖空間の内部に設置した植物育成貯蔵装置の各棚３の下面に、誘虫用光源１１と植物育成貯蔵用光源１０を設ける。植物育成貯蔵用光源１０は、３８０ｎｍから７６０ｎｍの波長の光に変換するものである。そして、誘虫用光源１１は、植物育成貯蔵用光源１０と形状、電気特性が略等しく、照明装置８の点灯回路と照明器具９に適合するものであり、ランプ内部の水銀から放出された２５４ｎｍの波長の光を、３６５ｎｍをピークとする波長の光に変換する直管型の蛍光ランプである。【選択図】　　　　図３
2004081100.tif 000002
【特許請求の範囲】
【請求項１】
空調装置を備える閉鎖空間内で、植物を配設し、植物育成貯蔵用光源を有する植物育成貯蔵装置において、害虫を誘引する波長領域の光を放射する誘虫用光源と、誘虫用光源の近傍に設けて誘引した害虫を捕獲する補虫部と、を備えることを特徴とする植物育成貯蔵装置。
【請求項２】
前記誘虫用光源は、植物育成貯蔵用光源と形状及び電気特性が同等であることを特徴とする請求項１記載の植物育成貯蔵装置。
【請求項３】
前記誘虫用光源は、前記植物育成貯蔵用光源が消灯中に点灯することを特徴とする請求項１乃至２記載の植物育成貯蔵装置。
【請求項４】
前記誘虫用光源は、前記植物育成貯蔵用光源が消灯した後、ただちに点灯し、所定の時間点灯した後に消灯することを特徴とする請求項３記載の植物育成貯蔵装置。
【発明の詳細な説明】
【０００１】
【発明の属する技術分野】
本発明は、植物育成貯蔵装置に関するものである。
【０００２】
【従来の技術】
近年、農業従事者の高齢化や労働力の不足を背景として、農業における工業化が進んでいる。具体的には、環境条件の調節が可能となることにより農作物の生産性が高くなる閉鎖型の植物育成貯蔵装置が導入され始めている。この閉鎖型の植物育成貯蔵装置は、農作物の生産性が高くなるとともに、害虫が植物育成貯蔵装置の内部に浸入しにくい構造を取っており、植物が害虫の被害を受けにくい。
【０００３】
この種の装置としては、たとえば特開２００１−３４６４５０に示されるものがある。このものは、閉鎖空間内に前述の植物育成用光源に相当する人工照明と、前述の植物育成貯蔵装置に相当する多段式育苗装置、空調装置、灌水装置などを備えるものである。このものにおいては、閉鎖空間内で苗を生育するので、屋外の気候、天候に影響されることなく苗質の一定したものが得られるというメリットがある。
【０００４】
【発明が解決しようとする課題】
上記従来例に示したような装置においては、前述のように害虫が植物育成貯蔵装置の内部に浸入しにくい構造を取っている。しかしながら、植物を運搬する際や作業者の出入りの際に、害虫が植物育成貯蔵装置の内部に侵入するといった可能性が懸念される。また一方で、閉鎖型の植物育成貯蔵装置は、無農薬栽培であるので、装置内で殺虫剤等の薬剤を散布することは好ましくない。
【０００５】
本発明は、かかる事由に鑑みてなしたものであり、その目的とするところは、殺虫剤等の薬剤を散布すること無く、害虫を駆除することのできる植物育成貯蔵装置を提供するものである。
【０００６】
【課題を解決するための手段】
請求項１に係る発明は、空調装置を備える閉鎖空間内で、植物を配設し、植物育成貯蔵用光源を有する植物育成貯蔵装置において、害虫を誘引する波長領域の光を放射する誘虫用光源と、誘虫用光源の近傍に設けて誘引した害虫を捕獲する補虫部と、を備えることを特徴とする
請求項２に係る発明は、請求項１記載の光源装置において、前記誘虫用光源は、植物育成貯蔵用光源と形状及び電気特性が同等であることを特徴とする。
【０００７】
請求項３に係る発明は、請求項１乃至２記載の光源装置において、前記誘虫用光源は、前記植物育成貯蔵用光源が消灯中に点灯することを特徴とする。
【０００８】
請求項４に係る発明は、請求項３記載の植物育成貯蔵装置において、前記誘虫用光源は、前記植物育成貯蔵用光源が消灯した後、ただちに点灯し、所定の時間点灯した後に消灯することを特徴とする。
【０００９】
【発明の実施の形態】
図１は、本発明の実施形態である閉鎖空間及び植物育成貯蔵装置の斜視図である。また、図２は植物育成貯蔵装置の棚近傍の斜視図である。１は閉鎖空間であり、鉄骨、鉄板及び断熱材等を組み合わせることにより、幅約５ｍ、高さ３ｍ、奥行き２ｍの６面体の外気を遮断する閉鎖空間を形成している。また、図示はしないが、閉鎖空間１には内部で作業をする作業者の出入りや、植物運搬のためのドア部が設けられている。閉鎖空間１には、植物の種類、育成状況に応じて、閉鎖空間１内部の温度、湿度を調整できる空調装置１４が備え付けられている。
【００１０】
さらに、閉鎖空間１の内部には、高さ約２００ｃｍ、幅約１２０ｃｍ、奥行き６０ｃｍの植物育成貯蔵装置２がある。そして、植物育成貯蔵装置２には、それぞれ上方向又は下方向に３０から５０ｃｍの間隔を開けて全部で５段の棚３が配設されている。この棚３の１側面には、植物に水を供給するための給水パイプ４が設けられている。この給水パイプ４には、後述する植物トレイ５に水を供給できるように複数の小さい穴が設けられている。そして、給水パイプ４に対向する棚３の側面には、植物トレイ５からの排水を処理する排水溝６が設けられている。この棚３の上面には、幅３０ｃｍ、奥行き６０ｃｍであり長手方向に所定の隙間を有して、合成樹脂等の材料によって形成される植物用トレイ５が１つの棚につき４個設けられている。この植物トレイ５の内部には、植物が配設され、栄養や水分を保持する培地と、給水パイプ４が供給した水を吸収し、それぞれの植物７に均一に与えるための吸水シートが収納されている。さらに、植物用トレイ５の上面には、複数の穴が設けられており、この穴に育成若しくは貯蔵する植物７が挿入される。この植物７は、主に野菜類であり、たとえばトマト、キュウリ、ナス、ピーマン等である。
【００１１】
図３は、植物育成貯蔵装置２の断面の一部を示した図である。図３に示すように、植物用トレイ５の上方の棚３には、照明装置８がネジ止め等の手段により固定されている。照明装置８は、図示はしない点灯回路と照明器具９及び植物育成貯蔵用光源１０と誘虫用光源１１から構成されている。植物育成貯蔵用光源１０は、直管型の蛍光ランプであり、ランプ内部の水銀から放出された２５４ｎｍの波長の光を、３８０ｎｍから７６０ｎｍの波長範囲の光に変換するもの、たとえば３波長型の蛍光ランプである。
【００１２】
そして、ここで重要なことは、誘虫用光源１１を植物育成貯蔵装置２の各棚３の下面に設けたことである。この誘虫用光源１１は、植物育成貯蔵用光源１０と形状、電気特性が略等しく、照明装置８の点灯回路と照明器具９に適合するものであり、ランプ内部の水銀から放出された２５４ｎｍの波長の光を、別の種類の蛍光体によって３６５ｎｍをピークとする波長の光に変換する直管型の蛍光ランプである。小ハエ等の害虫１５は、波長が３００ｎｍから４５０ｎｍの光の刺激に対して、光の方向へ移動するいわゆる走光性を有するので、誘虫用光源１１からの３６５ｎｍをピークとする波長の光を受け、誘虫用光源１１の近傍に誘引される。なお、植物育成貯蔵用光源１０、誘虫用光源１１は、同一平面に並列に設置されており、植物育成貯蔵用光源１０は全部で６個、誘虫用光源１１は１個のみ設置されている。そしてさらに、誘虫用光源１１の下部には、補虫部１２が設けられている。補虫部１２は、植物育成貯蔵用光源１０、誘虫用光源１１と同程度の長さを持つ略板状のもので、棚３に固定されている。この補虫部１２は誘虫用光源１１と対向する面に粘着シートを有している。なお、補虫部１２は、誘虫用光源１１からの光を遮光する遮光板としての機能も有している。
【００１３】
つぎに、植物育成貯蔵装置を植物育成として使用する場合について説明する。植物トレイ５の上面に設けた小穴に植物７を配設し、棚３に設置する。そして、空調装置１４を、湿度７０から１００％、温度２０から３０℃の範囲で所定の湿度及び温度に設定し、動作させる。そして、給水パイプ４には閉鎖空間１の室外から必要量の水を供給し、給水パイプ４に施された小さい穴を介して、植物トレイ５に供給する。植物トレイ５に供給された水の一部は、植物７が吸収し、残りの水は、植物トレイ５内の吸水シートを介して排水溝６に排出される。
【００１４】
また、植物育成貯蔵用光源１０は、照明装置８から電力の供給を受け、植物の育成に必要な時間、植物に植物の育成に必要な波長の光、たとえば光合成有効光量子束密度（ＰＰＦＤ）を２００から４００μｍｏｌ／ｍ２／ｓの範囲で照射する。そして、植物育成貯蔵用光源１０を１日１６時間点灯した後、８時間消灯する。この植物育成貯蔵用光源１０を点灯する時間は、いわゆる光周期の明期に相当し、消灯する時間はいわゆる光周期の暗期に相当する。これらは、植物の生理上必要なものである。そして、暗期となった後にただちに約３０ｍｉｎの間、誘虫用光源１１を点灯し、ピーク波長３６５ｎｍの紫外線を放射する。ここで、植物育成貯蔵用光源１０を消灯させた状態で誘虫用光源１１を点灯させると、植物育成貯蔵用光源１０から放射される光は無く、誘虫用光源１１の光のみが放射されるので、効率良く害虫１５を誘引、捕獲することができる。一方、この状態では、誘虫用光源１１は可視光領域の光を若干含むため、厳密には暗期にならない。暗期途中で、このような状態になると植物の生理面への影響が懸念されるが、明期終了直後であれば誘虫用光源１１を点灯してもその影響は小さい。この理由から、明期直後に一定時間、誘虫用光源１１の点灯を行う。誘虫用光源１１が点灯すると、前述のように、小ハエ等の害虫１５は、波長が３００ｎｍから４５０ｎｍの光の刺激に対して、光の方向へ移動するいわゆる走光性を有するので、誘虫用光源１１からの３６５ｎｍをピークとする波長の光を受け、誘虫用光源１１の近傍に誘引される。そして、誘虫用光源１１の近傍には、粘着シートを有する補虫部１２が設置されているので、誘引された害虫１５は補虫部１２に捕獲され、駆除される。
【００１５】
また、貯蔵の場合には、温度を０から１５℃の範囲で所定の温度に設定する。また、貯蔵の場合に必要な光合成有効光量子束密度（ＰＰＦＤ）を０から５０μｍｏｌ／ｍ２／ｓの範囲で所定の光合成有効光量子束密度（ＰＰＦＤ）に設定する。
【００１６】
以上のように、閉鎖空間１内に設置された誘虫用光源１１からのピーク波長３６５ｎｍの紫外線によって、害虫が誘引されて補虫部１２によって捕獲され、駆除される。これにより、殺虫剤等の薬剤を散布すること無く、害虫を駆除することが可能となる。また、前記誘虫用光源１１は、植物育成貯蔵用光源１０と形状及び電気特性が同等であるようにしたので、複数の植物育成貯蔵用光源１０の一部を誘虫用光源１１に代えて使用することができる。これにより、既存の植物育成貯蔵用光源１０が取りつけられている点灯回路を交換することなく、誘虫用光源１１を使用することができるのである。また、暗期中に誘虫用光源１１を点灯することにより、植物育成貯蔵用光源１０から放射される光の影響を受けることなく、害虫１５を誘引することができる。
【００１７】
なお、上記の実施形態においては、棚３の下面に誘虫用光源１１を設置するようにしたが、図４のように、棚３の近傍に、丸管形状の第２の誘虫用光源１１ａ、第２の補虫部１２ａを備えた第２の照明器具９ａを有する照明装置８ａを設けてもよい。この場合は、図中の矢印に示すように照明装置８ａを閉鎖空間１の天井部から吊り下げて、モータ等の駆動装置により上下させて使用する。そしてまた、図５に示すように、棚３の周縁部に誘虫用光源１１、第３の補虫部１２ｂを備えた第３の照明器具９ｂを有する第３の照明装置８ｂを配設してもよい。また、閉鎖空間１は、閉鎖空間１の内部と外部とを遮断するものであれば良く、このものを構成する構成材は透光性を有するものであってもよい。構成材として透光性のものを用いた場合には、植物育成貯蔵用光源１０又は外光を必要に応じて使い分けることもできる。そしてまた、誘虫用光源１１として蛍光ランプを使用したが、たとえばＬＥＤ等であっても、害虫１５が刺激を受ける波長の光を放射するものであれよい。また、害虫１５を捕獲するものとして粘着シートを用いたが、高電圧を印加した導体に害虫１５を接触させて駆除する方法等、誘引した害虫を捕獲できるものであればよい。また、植物育成貯蔵装置として、吸水シート及び培地を有する植物トレイ５、給水パイプ４を有するタイプのものを示したが、植物トレイや培地を用いないで、穴の開いた板の各苗を固定して植物の下部に水を流す水耕栽培タイプや、植物の下部から噴射する形で灌水するタイプのものであってもよい。
【００１８】
【発明の効果】
請求項１に係る発明は、空調装置を備える閉鎖空間内で、植物を配設し、植物に光を照射する光源を有する植物育成貯蔵装置において、害虫を誘引する波長領域の光を放射する誘虫用光源と、誘虫用光源の近傍に設けて誘引した害虫を捕獲する補虫部と、を備えるようにしたので、閉鎖空間内に設置された誘虫用光源からのピーク波長３６５ｎｍの紫外線によって、害虫が誘引されて補虫部によって捕獲され、駆除される。これにより、殺虫剤等の薬剤を散布すること無く、害虫を駆除することが可能となる。
【００１９】
請求項２に係る発明は、請求項１記載の光源装置において、前記誘虫用光源は、植物育成貯蔵用光源と形状及び電気特性が同等であるようにしたので、複数の植物育成貯蔵用光源の一部を誘虫用光源に代えることができ、これにより、誘虫用光源用に新たに照明装置を設けることなく、誘虫用光源を点灯させることができる。
【００２０】
請求項３に係る発明は、請求項１乃至２記載の光源装置において、前記誘虫用光源は、前記植物育成貯蔵用光源が消灯中に点灯するようにしたので、害虫は照明装置に設置された植物育成貯蔵用光源からの光の影響を受けることなく、誘虫用光源に誘引されるので、誘虫用光源による誘虫の効果を高めることができる。
【００２１】
請求項４に係る発明は、請求項３記載の植物育成貯蔵装置において、前記誘虫用光源は、前記植物育成貯蔵用光源が消灯した後、ただちに点灯し、所定の時間点灯した後に消灯するようにしたので、植物の光周期への影響を抑制することができる。
【図面の簡単な説明】
【図１】閉鎖空間及び植物育成貯蔵装置の斜視図である。
【図２】植物育成貯蔵装置の棚近傍の斜視図である。
【図３】植物育成貯蔵装置の断面の一部を示した図である。
【図４】丸管形状の誘虫用光源を有する照明器具と植物育成貯蔵装置の断面の一部を示した図である。
【図５】棚の周縁部に配設した照明装置と植物育成貯蔵装置の断面の一部を示した図である。
【符号の説明】
１　閉鎖空間
２　植物育成貯蔵装置
３　棚
４　給水パイプ
５　植物トレイ
６　排水溝
７　植物
８　照明装置
８ａ　第２の照明装置
８ｂ　第３の照明装置
９　照明器具
９ａ　第２の照明器具
９ｂ　第３の照明器具
１０　植物育成貯蔵用光源
１１　誘虫用光源
１１ａ　第２の誘虫用光源
１２　補虫部
１２ａ　第２の補虫部
１２ｂ　第３の補虫部
１４　空調装置
１５　害虫
【図１】
2004081100.tif 000003
【図２】
2004081100.tif 000004
【図３】
2004081100.tif 000005
【図４】
2004081100.tif 000006
【図５】
2004081100.tif 000007